(57)【要約】 【課題】火事に伴う延焼をより確実に防止することができる軒天材用支持金具の提供。【解決手段】軒天材６を保持する保持部７１は、鉛直部７１１と、鉛直部７１１の上下両端部に設けられた水平部７１２，７１３を有し、この保持部７１の上方に設けられる取付部７２は、水平部７１２の他端側上方から起立して設けられる鉛直片部７２１と、鉛直片部７２１に一体形成された水平片部７２２と、水平片部７２２に一体形成され外壁部３に当接させるための取付片部７２３とを有し、保持部７１の水平部７１２，７１３と取付部７２の水平片部７２１との少なくとも一方に換気口７Ａが形成される支持金具７において、換気口７Ａの上面および下面側であって、鉛直片部７２１に対して換気口７Ａを挟んで斜め対向する鉛直部７１１と取付片部７２３との少なくとも一方の部位と鉛直片部７２１とに、熱発泡材８を設ける。【選択図】図２
2010043462.tif 000002
【特許請求の範囲】
【請求項１】
軒天材の端部を支持するとともに外壁部に当接させる軒天材用支持金具であって、
前記軒天材の端部を保持する断面コ字状に形成された保持部と、
この保持部の上方に設けられるとともに前記外壁部に当接させる取付部とを備え、
前記保持部は、鉛直部と、この鉛直部の上下両端部にそれぞれ一端部が設けられた水平部を有し、
前記取付部は、前記鉛直部の上端部に設けられた水平部の他端側上方から起立して設けられる鉛直片部と、この鉛直片部に一体に形成された水平片部と、この水平片部に一体形成され前記外壁部に当接させるための取付片部とを有し、
前記保持部の前記水平部と前記取付部の前記水平片部との少なくとも一方に換気口が形成され、
この換気口の上面側および下面側であって、前記換気口を挟んで前記鉛直片部と斜め対向する前記鉛直部と前記取付片部との少なくとも一方の部位と前記鉛直片部とに、加熱されることで体積が膨張して前記換気口を閉塞する熱発泡材がそれぞれ設けられていることを特徴とする軒天材用支持金具。
【請求項２】
請求項１に記載された軒天材用支持金具において、前記取付部の前記取付片部の上端部に水返し部が設けられていることを特徴とする軒天材用支持金具。
【請求項３】
請求項１または請求項２に記載された軒天材用支持金具において、前記保持部と前記取付部とが別体に形成されており、前記換気口は前記取付部の水平片部に形成され、前記熱発泡材が前記取付部の鉛直片部と前記取付部の取付片部に設けられていることを特徴とする軒天材用支持金具。
【請求項４】
請求項１ないし請求項３のいずれかに記載された軒天材用支持金具を用いて前記軒天材を前記外壁部に支持する軒天材の支持構造。
【発明の詳細な説明】
【技術分野】
【０００１】
本発明は、軒天材の端部を支持するとともに外壁部に取り付けられる軒天材用支持金具及び支持構造に関する。
【背景技術】
【０００２】
屋根の軒先には軒天材が配置されることが多い。この軒天材は、その一端部が支持金具で外壁に支持されており、かつ、小屋裏と外部との換気を行うための換気口が形成されている。
【０００３】
従来例として、軒天板を支持する断面略コ字型の支持金具を壁面に釘で固定し、この支持金具の下方の水平部に換気口を形成するとともに、この換気口の近傍に不燃性体積膨張材（熱発泡材）を取り付けた軒天材の支持構造がある（特許文献１）。
【０００４】
【特許文献１】特開平6-73828号公報
【発明の開示】
【発明が解決しようとする課題】
【０００５】
特許文献１で示される従来例では、断面略コ字型の支持金具に軒天材の端部が支持され、この軒天材の端部の上下面に対向する当該支持金具の部位には換気口がそれぞれ形成され、軒天材の端部下面と対向する当該支持金具の換気口が形成された部位近傍に発泡材が設けられている。
通常時は小屋裏の熱気は軒天材の端部上面と対向する当該換気口から、当該支持金具内部の空間、および軒天材の端部下面と対向する当該換気口を通って建物外に排出されるように換気用空気通路が設けられている。
また、火事が発生した場合には、熱発泡材が膨張することで換気用空気通路を遮断し、熱風や炎が小屋裏に侵入することを防止することができる。しかし、従来例のような当該支持金具では、熱発泡材の膨張が十分に起こらなかった場合には、換気用空気通路の遮断が不十分となってしまい、熱風や炎の小屋裏への侵入を防止して延焼を防ぐことができないないという課題がある。
【０００６】
本発明の目的は、火事に伴う延焼をより確実に防止することができる軒天材用支持金具及び支持構造を提供することにある。
【課題を解決するための手段】
【０００７】
本発明の軒天材用支持金具は、図面を参照して説明すると、軒天材６の端部を支持するとともに外壁部３に当接させる軒天材用支持金具７，２７，３７であって、前記軒天材の端部を保持する断面コ字状に形成された保持部７１と、この保持部の上方に設けられるとともに前記外壁部に当接させる取付部７２とを備え、前記保持部は、鉛直部７１１と、この鉛直部の上下両端部にそれぞれ一端部が設けられた水平部７１２，７１３を有し、前記取付部は、前記鉛直部の上端部に設けられた水平部の他端側上方から起立して設けられる鉛直片部７２１と、この鉛直片部に一体に形成された水平片部７２２と、この水平片部に一体形成され前記外壁部に当接させるための取付片部７２３とを有し、前記保持部の前記水平部と前記取付部の前記水平片部との少なくとも一方に換気口７Ａが形成され、この換気口の上面側および下面側であって、前記換気口を挟んで前記鉛直片部と斜め対向する前記鉛直部と前記取付片部との少なくとも一方の部位と前記鉛直片部とに、加熱されることで体積が膨張して前記換気口を閉塞する熱発泡材８がそれぞれ設けられていることを特徴とする。
この構成の発明では、保持部の水平部と取付部の水平片部との少なくとも一方に形成された換気口に対して、上記のように熱発泡材が設けられて千鳥状配置となっており、火災発生時に熱発泡材は換気口の上面側と下面側を覆うことができる。さらに、熱発泡材は鉛直片部側と鉛直部や取付片部側から膨張するので、換気口の右側と左側から覆うことができる。したがって、この構成の発明では、確実に換気口を閉塞することができ、小屋裏と建物外との連通を確実に遮断し、延焼をより確実に防止することができる。
そして、熱発泡材は保持部の鉛直部や取付部の鉛直片部等に設けられているから、膨張時には換気口に対して上面側および下面側において、水平方向に延びるため、不要な方向に膨張することがない。そのため、通気孔を早期確実に閉塞することができ、延焼を確実に防止することができる。
【０００８】
ここで、本発明では、軒天材用支持金具において、前記取付部の前記取付片部の上端部に水返し部７２５，７２５Ａが設けられている構成が好ましい。
この構成の発明では、雨水が小屋裏に吹き込もうとしても、これを水返し部が阻止して小屋裏への侵入を阻止できる。
【０００９】
また、本発明の支持金具において、前記保持部と前記取付部とが別体に形成されており、前記換気口は前記取付部の水平片部に形成され、前記熱発泡材が前記取付部の鉛直片部と前記取付部の取付片部に設けられている構成が好ましい。
この構成の発明では、取付部と保持部とが別体に形成されているので、外壁部への支持金具の施工を容易に行うことができる。
【００１０】
本発明の軒天井の支持構造は、前述の構造の軒天材用支持金具を用いて前記軒天材を前記外壁部に支持することを特徴とする。
この支持構造の発明では、保持部の水平部と取付部の水平片部との少なくとも一方に形成された換気口に対して、上記のように熱発泡材が設けられて千鳥状配置となっており、火災発生時には閉塞漏れを極めて少なくすることができる。
【発明を実施するための最良の形態】
【００１１】
［第１実施形態］
以下に、本発明の実施形態を図面に基づいて説明する。図１から図３には本発明の第１実施形態が示されている。
図１には第１実施形態にかかる軒天材６の支持構造の全体構成が示されている。
図１において、傾斜屋根１が建物本体２に設けられている。この建物本体２はその外周部に外壁３１を有し、後述する封止部材３２を外壁３１の表面に配設する場合には、外壁３１と封止部材３２とで外壁部３を構成することになる。
また、外壁３１の上方近傍にはブラケット４を介して傾斜屋根１が支持されている。建物本体２は梁及び柱から直方体状の骨組みが形成される建物ユニットを複数組み合わせて建てるユニット式建物でもよく、パネルを複数組み合わせて建てるパネル工法による建物でもよく、さらには、在来工法でもよい。
【００１２】
傾斜屋根１は傾斜して配置される屋根パネル１１の上に屋根材１２が配置された構造であり、屋根パネル１１の下端部には横樋１３が取り付けられている。
屋根パネル１１は屋根流れ方向に沿って配置される縦枠１１Ａと、この縦枠１１Ａに直交配置される横枠１１Ｂと、これらの縦枠１１Ａ及び横枠１１Ｂの上面に貼り付けられた面材１１Ｃとを有する。
縦枠１１Ａの下端側と上端側とにはそれぞれ支持フレーム５１，５２の上端部が取り付けられ、これらの支持フレーム５１，５２の下端部には枠体５３を介して平板状の軒天材６が取り付けられている。支持フレーム５１，５２にはそれぞれ面材５４が釘で取り付けられている。また、軒天材６は枠体５３に釘で固定されている（図２参照）。
【００１３】
枠体５３は、その端縁が軒天材６の端縁より内側にオフセットされるように配置されている。
軒天材６は建物側端部が外壁部３に略水平に沿って設けられた支持金具７に支持されており、軒先側端部が支持ブラケット６０に支持されている。この支持ブラケット６０は軒天材６の端部を支持できるように断面コ字状に形成され、その上端部が枠体５３に固定されている。
【００１４】
[支持金具の構造]
支持金具７の詳細な構造が図２及び図３に示されている。図２は、軒天材６の支持構造の要部を示す断面図であり、図３は支持金具７が外壁部３に当接した状態を示す正面図である。
図２及び図３において、支持金具７は長尺状の金属製板材を折り曲げて形成されたものであり、軒天材６の端部を保持する断面コ字状に形成された保持部７１と、この保持部７１の上方に設けられるとともに外壁部３に当接させる取付部７２を備えた構造である。本実施形態では、保持部７１と取付部７２は別体に形成されている。
【００１５】
[保持部の構造]
保持部７１は、鉛直部７１１と、この鉛直部７１１の上端部に設けられた水平部７１２と、鉛直部７１１の下端部に設けられた水平部７１３とを有し、水平部７１２および水平部７１３の水平方向の略中央部まで軒天材６の端縁が差し込まれている。水平部７１２および水平部７１３とは上下に対向配置されており、このうち水平部７１２の端部は保持部７１の開口部奥側に向けて折り返され、水平部７１３の端部は保持部７１の開口部奥側に向けて折り返されている。
また、保持部７１は枠体５３に釘で固定されている（図２参照）。
【００１６】
[取付部の構造]
取付部７２は、保持部７１の鉛直部７１１の上端部に設けられた水平部７１２の他端側上方から起立して設けられる鉛直片部７２１と、この鉛直片部７２１に一体に形成された水平片部７２２と、この水平片部７２２に一体形成され前記外壁部３に当接させるための取付片部７２３とを有する。さらに取付部７２は、鉛直片部７２１の下端部に一体形成された鍔部７２４と取付片部の上端部に一体形成された水返し部７２５とを有する。
この鍔部７２４の先端部は、水平部７１２の先端部よりも外壁側に位置するように設けられている。また、鍔部７２４は枠体５３に釘で固定されている（図２参照）。
水返し部７２５は取付片部７２３の上端部から略水平方向に延出して形成されている。
取付片部７２３は間に板状の封止部材３２を挟んで外壁３１の平面部３１Ａに対向配置させてテンションをかけることによって、取付片部７２３を外壁部３に当接させている。なお、封止部材３２は外壁３１の段差を吸収するために弾性体としてのＥＰＤＭ発泡材等を用いることができる。
【００１７】
［換気口の形成］
水平部７１２と鉛直片部７２１と水平片部７２２と外壁３１との間で形成される内部空間Ｓ１と、水平片部７２２を挟んで上方側であって小屋裏に連通する空間Ｓ２とを連通する換気口７Ａが水平片部７２２に形成されている。
【００１８】
[熱発泡材]
鉛直片部７２１には、内部空間Ｓ１と対向する面側に熱発泡材８が設けられ、取付片部７２３には枠体５３と対向する面にそれぞれ設けられている。すなわち、換気口７Ａを挟んで千鳥状に熱発泡材８が配置されて設けられていることになる。
熱発泡材８は、加熱されることで換気口７Ａを閉塞するまで体積が膨張する（想像線参照）ものであり、その材質は、例えば、グラファイト系材料からなり、具体的にはカットシートＧ（アスク社製）等を用いることができる。この熱発泡材８は、約２００℃以上に熱せられると発泡し、例えば２〜３ｍｍ厚の塗布で約１５〜２０倍に膨張する。
【００１９】
[外壁部]
本実施形態では、外壁３１には、平面部３１Ａの下方側に表面が平滑な外壁パネル平面部３１Ｂが形成されている。
また、本実施形態では、保持部７１の鉛直部と外壁３１との間には内部空間Ｓ１と連通可能にする換気部Ｐ１が設けられている。
【００２０】
[小屋裏の換気と閉塞]
この構成の軒天材６の支持構造では、通常、小屋裏に連通する空間Ｓ２と外部空間とが支持金具７に形成された換気口７Ａ、内部空間Ｓ１及び換気部Ｐ１を通じて連通されているため、小屋裏の換気が行える。
ここで、火事発生時に軒天材６が加熱されると、軒天材６を支持する支持金具７が高温となる。すると、支持金具７に設けられている２箇所の熱発泡材８が加熱されてそれぞれ膨張して換気口７Ａを上下で閉塞し、小屋裏に連通する空間Ｓ２と外部空間との連通が阻止され、延焼が防止される。
【００２１】
［第１実施形態の作用効果］
したがって、第１実施形態では、次の作用効果を奏することができる。
（１）取付部７２の鉛直片部７２１と取付片部７２３の両方に熱発泡材８を設けたことにより、火災発生時には、両方の熱発泡材８が膨張し、水平片部７２２に設けられた換気口７Ａの上面側と下面側とが覆われる。さらに、熱発泡材８は鉛直片部７２１側と取付片部７２３側から膨張するので、換気口７Ａが異なる方向から膨張してくる熱発泡材によって覆われる。
したがって、この構成の発明では、小屋裏の換気性を高めるために、換気口７Ａを多数設けた場合であっても、当該換気口７Ａの上面または下面の少なくとも一方の側は熱発泡材８に覆われる。ゆえに、当該換気口７Ａの閉塞が不十分となることは無く、確実に換気口７Ａを閉塞することができ、小屋裏と建物外との連通を確実に遮断し、延焼をより確実に防止することができる。
しかも、保持部７１の水平部７１２に換気口７Ａを形成しなくてもよいから、軒天材６の保持部７１への差し込み量を自由に設定することができ、軒天材６の取付作業を容易なものにできる。
【００２２】
（２）そして、熱発泡材８は前記保持部７１の前記鉛直部７１１や前記取付部７２の前記鉛直片部７２１に設けられているから、熱発泡材８が加熱されると水平方向に膨張して延びるため、不要な方向に膨張することがない。そのため、通気孔を早期確実に閉塞することができ、延焼を確実に防止することができる。その上、熱発泡材８が膨張時に水平方向に延びることで換気口７Ａを閉塞するようにしているから、支持金具７の上下方向の省スペース化が図れ、支持金具７の小型化を達成することができる。
【００２３】
（３）取付部７２の取付片部７２３の上端には水返し部７２５が設けられているから、雨水が小屋裏に吹き込もうとしても、水返し部７２５で阻止されて小屋裏への浸入を阻止できる。
【００２４】
（４）保持部７１と取付部７２とが別体に形成されているので、外壁部３および枠体５３への支持金具７の施工を容易に行うことができる。
【００２５】
（５）保持部７１の下方の水平部７１２には折り返し部が形成されているので、端縁が剥き出しにされないから、軒天材６の保持部７１への差し込み作業を安全に行うことができる。
【００２６】
（６）保持部７１の鉛直部７１１と外壁部３との間には内部空間Ｓ１と連通可能にする換気部Ｐ１が設けられているため、保持部７１に換気口７Ａを形成しなくてもよいから、支持金具７の外観を良好なものにできる。
【００２７】
［第２実施形態］
次に、本発明の第２実施形態を図４に基づいて説明する。
第２実施形態は支持金具２７の形状、換気口７Ａの形成箇所、熱発泡材８の取付箇所が第１実施形態と相違するものであり、他の構成は第１実施形態と同じである。ここで、第２実施形態の説明において第１実施形態と同一の構成要素は同一符号を付して説明を省略する。
図４は第２実施形態の軒天材の支持構造の要部を示すものであり、図２に対応する断面図である。
図４において、軒天材６は建物側端部が外壁部３に略水平に沿って設けられた支持金具２７に支持されている。
【００２８】
[支持金具の構造]
支持金具２７は、長尺状の金属製板材を折り曲げて形成されたものであり、軒天材６の端部を保持する断面コ字状に形成された保持部７１と、この保持部の上方に設けられるとともに外壁パネル平面部３１Ｂに当接させる取付部７２を備えた構造である。本実施形態では、保持部７１と取付部７２は別体に形成されている。
【００２９】
［保持部の構造］
保持部７１は、外壁部３に当接する鉛直部７１１と、この鉛直部７１１の上端部に設けられた水平部７１２と、鉛直部７１１の下端部に設けられた水平部７１３とを有する。
【００３０】
［取付部の構造]
取付部７２は、鉛直片部７２１、水平片部７２２、取付片部７２３及び水返し部７２５Ａを有する。ここで、水返し部７２５Ａの形状が第１実施形態と異なり、その他の形状は第１実施形態と同じ構造である。
第２実施形態での水返し部７２５Ａは、取付片部７２３の上端部から下方（水平片部７２２の方向）に延出して一体に形成されている。
【００３１】
［換気口の形成］
第１実施形態とは異なり、保持部７１の水平部７１２および水平部７１３に換気口７Ａがそれぞれ形成されている。また、取付部７２には、第１実施形態と同じく水平片部７２２にも換気口７Ａが形成されている。
【００３２】
［熱発泡材の配置］
熱発泡材８の取り付け箇所が第1実施形態と異なる。すなわち、鉛直部７１１の軒天材６の端面と対向する部分に熱発泡材８が設けられている。
また、取付部７２には、第1実施形態と同じく、鉛直片部７２１には内部空間Ｓ１と対向する面、および取付片部７２３には枠体５３と対向する面に熱発泡材８がそれぞれ設けられている。
ゆえに、第２実施形態に係る軒天材６の支持金具２７は、換気口７Ａが３段に亘って設けられ、これらの換気口７Ａを挟んで熱発泡材８が千鳥状に３箇所設けられていることになる。
【００３３】
［第２実施形態の作用効果］
したがって、第２実施形態では第１実施形態の（２），（４），（５）と同様の効果を奏することができる他、次の作用効果を奏することができる。
（７）３段に亘って設けられた換気口７Ａに対して、熱発泡材８が千鳥状に３箇所に設けられているため、小屋裏と建物外部との通気を確実に行うことができるとともに、火災発生時には、より確実に換気口７Ａを閉塞することができ、延焼を確実に防止することが出来る。
【００３４】
（８）水返し部７２５Ａが取付片部７２３から水平片部７２２の方向に延出して形成されているため、雨水等の小屋裏への侵入をより確実に防止することが出来る。さらに、熱発泡材８の膨張方向を水平片部７２２の換気口７Ａに向けて制御することができるので、火災発生時の換気口７Ａの閉塞を確実に行うことができる。
【００３５】
［第３実施形態］
次に、本発明の第３実施形態を図５に基づいて説明する。第３実施形態は、支持金具３７が一体に形成されている点で、前記実施形態と異なる。ここで、第３実施形態の説明において前記各実施形態と同一の構成要素は同一符号を付して説明を省略する。
図５は第３実施形態にかかる軒天材の支持構造の要部を示すものであり、図２に対応する断面図である。
図５において、軒天材６は建物側端部が外壁部３に略水平に沿って設けられた支持金具３７に支持されている。
【００３６】
支持金具３７は長尺状の金属製板材を折り曲げて形成されたものであり、軒天材６の端部を保持する保持部７１と、この保持部７１を外壁部３に当接させる取付部７２とが一体に形成された構造である。
【００３７】
[保持部の構造]
保持部７１は、外壁部３の一部に当接する鉛直部７１１と、この鉛直部７１１の上端部に設けられた水平部７１２と、鉛直部７１１の下端部に設けられた水平部７１３とを有し、水平部７１２および水平部７１３の水平方向の略中央部まで軒天材６の端縁が差し込まれている。水平部７１２および水平部７１３とは上下に対向配置されており、このうち水平部７１３の端部は保持部７１の開口部奥側に向けて折り返されている。
【００３８】
［取付部の構造］
取付部７２は、保持部７１の鉛直部７１１の上端部に設けられた水平部７１２の開口側端部から起立して一体に設けられる鉛直片部７２１と、この鉛直片部７２１に一体に形成された水平片部７２２と、この水平片部７２２に一体形成され前記外壁部３に当接させるための取付片部７２３とを有する。そして、取付片部７２３は間に封止部材３２を挟んで平面部３１Ａに対向配置されているため、その状態で、釘９で外壁部３に固定する。なお、この釘９は支持金具７の長手方向に沿って複数配置されている。
さらに水返し部７２５Ａが、取付片部７２３の上端部から下方（水平片部７２２の方向）に延出して一体に形成されている。なお、前記実施形態と異なり、鉛直片部７２１の下端部に鍔部は形成されていない。
【００３９】
［換気口］
換気口７Ａは第２実施形態と同じく、水平部７１２、水平部７１３および水平片部７２２に３段に亘って形成されている。
【００４０】
［熱発泡材の配置］
熱発泡材８は、第２実施形態と同じく、鉛直部７１１の軒天材６の端面と対向する面、鉛直片部７２１の断面コ字状部分の内部空間Ｓ１と対向する面および取付片部７２３の枠体５３と対向する面に設けられている。ゆえに、第３実施形態に係る軒天材６の支持金具３７は、換気口７Ａが３段に亘って設けられ、これらの換気口７Ａを挟んで熱発泡材８が千鳥状に３箇所設けられていることになる。
【００４１】
［外壁部]
外壁３１は、平面部３１Ａと外壁パネル平面部３１Ｂとが形成されている前記実施形態とは異なり、取付部７２の取付片部７２３が取り付けられる平面部３１Ａと、この平面部３１Ａより下方にそれぞれ形成された外壁パネル凸部３１Ｃ及び外壁パネル凹部３１Ｄとを有する。外壁パネル凹部３１Ｄと平面部３１Ａとは略同一面とされ、外壁パネル凸部３１Ｃは平面部３１Ａ及び外壁パネル凹部３１Ｄの底面より隆起され、その平面矩形状の頂部が保持部７１の鉛直部７１１に当接する。そして、外壁パネル凸部３１Ｃは、互いに所定間隔離れて上下左右に配置され、これらの外壁パネル凸部３１Ｃの間に外壁パネル凹部３１Ｄが十字状に形成される。なお、本実施形態では、外壁パネル凸部３１Ｃと外壁パネル凹部３１Ｄとがそれぞれ上下に延びて形成されるストライプ形状でもよい。
外壁パネル凹部３１Ｄと鉛直部７１１との間で上下に形成される隙間は換気部であり、この換気部は建物の外部空間と内部空間Ｓ１とを連通する。
【００４２】
[小屋裏の換気と閉塞]
この構成の軒天材の支持構造では、日常は小屋裏に連通する空間Ｓ２と外部空間とが支持金具３７に形成された換気口７Ａ、内部空間Ｓ１及び換気部Ｐ２を通じて連通されているため、小屋裏の換気が行える。
ここで、火災発生によって軒天材６が加熱されると、軒天材６を支持する支持金具３７が高温となる。すると、熱発泡材８が加熱されて膨張して換気口７Ａを閉塞し、小屋裏に連通する空間Ｓ２と外部空間との連通が阻止され、延焼が防止される。
支持金具３７は、軒天材６の端部を支持する保持部７１と外壁部３に取り付けられる取付部７２とが一体であり、軒天材６は枠体５３から脱落しない。
【００４３】
［第３実施形態の作用効果]
従って、第３実施形態では第１実施形態の（２）、（５）、および第２実施形態の（７）、（８）と同様の効果を奏することができる他、次の作用効果を奏することができる。
【００４４】
（９）保持部７１と取付部７２とが一体化されているから、火事に際して支持金具３７が加熱されても、断面コ字状部７１が取付部７２から離脱せず、軒天材６の脱落を防止できる。
【００４５】
なお、本発明は前記実施形態に限定されるものではなく、本発明の目的を達成できる範囲での変形、改良等は本発明に含まれるものである。
例えば、前記各実施形態では、保持部７１の下方の水平部７１２に折り返し部を形成したが、本発明では、必ずしも折り返し部を形成することを要しない。
また、保持部７１と取付部７２とが別体のものを用いた場合に、枠体５３に対して、保持部７１と取付部７２をそれぞれ別の釘で固定したが、本発明では１本の釘で両方を固定しても良い。
また、取付片部７２３は、封止部材３２を設けずに、他の手段で取付片部７２３を外壁３１に対して押圧することで直接当接させてもよいし、外壁３１に他のパネル等を取付けて当接させてもよく、小屋裏と建物外との連通が支持金具と外壁３との間で起こらなければよい。
【産業上の利用可能性】
【００４６】
本発明は、種々の工法で施工される建物に利用できる。
【図面の簡単な説明】
【００４７】
【図１】本発明の第１実施形態にかかる軒天材の支持構造の全体構成を示す断面図。
【図２】第１実施形態の軒天材の支持構造の要部を示す断面図。
【図３】支持金具が外壁部に当接した状態を示す正面図。
【図４】本発明の第２実施形態にかかる軒天材の支持構造の要部を示すもので図２に対応する断面図。
【図５】本発明の第３実施形態にかかる軒天材の支持構造の要部を示すもので図２に対応する断面図。
【符号の説明】
【００４８】
３…外壁部、６…軒天材、７，２７，３７…支持金具、７Ａ…換気口、７１…保持部、７１１…鉛直部、７１２，７１３…水平部、７２…取付部、７２１…鉛直片部、７２２…水平片部、７２３…取付片部、７２５…水返し部、８…熱発泡材
【図１】
2010043462.tif 000003
【図２】
2010043462.tif 000004
【図３】
2010043462.tif 000005
【図４】
2010043462.tif 000006
【図５】
2010043462.tif 000007